(57)【要約】【課題】携帯電話に内蔵されたＨＤＤの温度上昇を抑制する。【解決手段】表示用ディスプレイ４を有し、かつ情報記憶用のディスク装置６が筐体２０に内蔵された携帯通信端末であって、ディスク装置６の両側表面にそれぞれ密接されてディスク装置６に作用する衝撃を吸収する緩衝部材８，９を備え、ディスク装置６からの熱および表示用ディスプレイ４からの熱が緩衝部材８，９を介して筐体２０の外表面から放熱されるように、緩衝部材８，９の一端側表面は表示用ディスプレイ４に密接され、他端側表面は筐体２０の内表面に密接される。【選択図】図２
2007150813.tif 000002
【特許請求の範囲】
【請求項１】
表示用ディスプレイを有し、かつ情報記憶用のディスク装置が筐体に内蔵された携帯通信端末であって、
前記ディスク装置の両側表面にそれぞれ密接されてディスク装置に作用する衝撃を吸収する緩衝部材を備え、
前記ディスク装置からの熱および前記表示用ディスプレイからの熱が前記緩衝部材を介して前記筐体の外表面から放熱されるように、前記緩衝部材の一端側表面は前記表示用ディスプレイに密接され、他端側表面は前記筐体の内表面に密接されることを特徴とする携帯通信端末。
【請求項２】
請求項１に記載の携帯通信端末において、
前記ディスク装置は、前記緩衝部材の内部に収容されて緩衝部材と一体に設けられることを特徴とする携帯通信端末。
【請求項３】
請求項１に記載の携帯通信端末において、
前記緩衝部材は、放熱用液体が封入された袋状の弾性部材により形成されることを特徴とする携帯通信端末。
【請求項４】
表示用ディスプレイを有し、かつ情報記憶用のディスク装置が筐体に内蔵された携帯通信端末であって、
前記ディスク装置の両側表面にそれぞれ密接されてディスク装置に作用する衝撃を吸収する緩衝部材と、
前記緩衝部材と前記表示用ディスプレイの間に配設され、端部が外部に露出した放熱部材とを備え、
前記ディスク装置からの熱が前記緩衝部材を介して前記放熱部材から放熱されるとともに、前記表示用ディスプレイからの熱が前記放熱部材から放熱されるように、前記放熱部材の片側表面に前記緩衝部材が密接され、前記放熱部材の反対側表面に前記表示用ディスプレイが密接されることを特徴とする携帯通信端末。
【請求項５】
請求項４に記載の携帯通信端末において、
前記放熱部材は、前記端部を貫通して内部に通気孔が設けられることを特徴とする携帯通信端末。
【請求項６】
請求項１〜５のいずれか１項に記載の携帯通信端末において、
さらに前記筐体に撮像素子が内蔵されることを特徴とする携帯通信端末。
【発明の詳細な説明】
【技術分野】
【０００１】
本発明は、ＨＤＤ等のディスク装置を内蔵した携帯通信端末に関する。
【背景技術】
【０００２】
近年、携帯電話の多機能化，高機能化が進んでおり、携帯電話に通話機能だけでなく例えば映像や音楽の視聴機能等を備えたものがある。この種の携帯電話には大容量の記憶装置が必要であり、例えばＨＤＤを内蔵した携帯電話が知られている（特許文献１参照）。この特許文献１記載の携帯電話は、本体部に対して回動可能に表示部を設けるとともに、本体部にＨＤＤを内蔵し、表示部からＨＤＤへの入熱を抑えるようにしている。
【０００３】
【特許文献１】特開２００５−２８４３３５号公報
【発明の開示】
【発明が解決しようとする課題】
【０００４】
しかしながら、表示部からＨＤＤへの入熱を抑えたとしても、ＨＤＤはそれ自体が発熱するため、ＨＤＤおよびその周囲の部品の温度上昇を効果的に抑制することができない。
【課題を解決するための手段】
【０００５】
本発明は、表示用ディスプレイを有し、かつ情報記憶用のディスク装置が筐体に内蔵された携帯通信端末であって、ディスク装置の両側表面にそれぞれ密接されてディスク装置に作用する衝撃を吸収する緩衝部材を備え、ディスク装置からの熱および表示用ディスプレイからの熱が緩衝部材を介して筐体の外表面から放熱されるように、緩衝部材の一端側表面は表示用ディスプレイに密接され、他端側表面は筐体の内表面に密接されることを特徴とする。
ディスク装置を、緩衝部材の内部に収容されて緩衝部材と一体に設けることもできる。
緩衝部材を、放熱用液体が封入された袋状の弾性部材により形成することもできる。
また、本発明は、表示用ディスプレイを有し、かつ情報記憶用のディスク装置が筐体に内蔵された携帯通信端末であって、ディスク装置の両側表面にそれぞれ密接されてディスク装置に作用する衝撃を吸収する緩衝部材と、緩衝部材と表示用ディスプレイの間に配設され、端部が外部に露出した放熱部材とを備え、ディスク装置からの熱が緩衝部材を介して放熱部材から放熱されるとともに、表示用ディスプレイからの熱が放熱部材から放熱されるように、放熱部材の片側表面に緩衝部材が密接され、放熱部材の反対側表面に表示用ディスプレイが密接されることを特徴とする。
放熱部材の端部を貫通して内部に通気孔を設けるようにしてもよい。
筐体に撮像素子を内蔵することもできる。
【発明の効果】
【０００６】
本発明によれば、携帯通信端末に内蔵された情報記憶用のディスク装置の温度上昇を効果的に抑えることができる。
【発明を実施するための最良の形態】
【０００７】
以下、図１〜図５を参照して本発明による携帯通信端末を携帯電話に適用した実施の形態について説明する。
図１は、本実施の形態に係る携帯電話の全体構成を示す斜視図である。この携帯電話は、下本体１に対し上本体２が回動軸３を介して回動可能に連結された折り畳み式の携帯電話であり、図１（ａ）は携帯電話を開いた状態を示し、図１（ｂ）は閉じた状態を示している。下本体１の内表面１ａには電話番号等を入力する操作部１ｂが設けられ、上本体２の内表面２ａおよび外表面２ｂにはそれぞれ表示部（メインＬＣＤ４，サブＬＣＤ５）が設けられる。以下では、上本体２の構成について詳細に説明する。
【０００８】
図２（ａ）は上本体の内表面の正面図であり、図２（ｂ），（ｃ）はそれぞれ図２（ａ）のｂ−ｂ線断面図，ｃ−ｃ線断面図である。図３（ａ）は上本体の外表面の正面図であり、図３（ｂ），（ｃ）はそれぞれ図３（ａ）のｂ−ｂ線断面図，ｃ−ｃ線断面図である。図４は内表面側から見た上本体の内部構成を示す斜視図である。図５（ａ）は外表面側から見た上本体の内部構成を示す斜視図であり、図５（ｂ）はその正面図である。なお、ここでは図示のように携帯電話の上下左右および前後方向を定義し、この定義にしたがって各部の配置を説明する。
【０００９】
樹脂によって形成された上本体２のボディ２０の内部にはメインＬＣＤ４が配設され、メインＬＣＤ４の後方にサブＬＣＤ５が配設されている。メインＬＣＤ４の後方かつサブＬＣＤ５の下方には、小型（例えば１インチ程度）でかつ大容量のＨＤＤ６（Hard Disk Drive ）が配設されている。メインＬＣＤ４の前方およびサブＬＣＤ５の後方は、それぞれボディ２０の表面と同一面上に設けたアクリル製の保護パネル２１により全体が覆われている。ボディ２０は前後一対の前ボディ２０ａと後ボディ２０ｂにより構成される。
【００１０】
ＨＤＤ６は、ＨＤＤケース内に回転可能にハードディスクを収容し、このケース内で高速回転させたハードディスクに磁気ヘッドを近づけて、ハードディスクからの情報を読み書きするように構成した記憶装置であり、ハードディスクには例えばデジタル映像や音楽、ゲームプログラム等の各種情報を記憶することができる。
【００１１】
ＨＤＤ６は、弾性材料からなる支持部材７を介してボディ２０の内側にて支持されている。すなわち、支持部材７にはＨＤＤ６を支持する凹状のＨＤＤ支持部７１が設けられ、ＨＤＤ支持部７１にＨＤＤ６が収容されている。ＨＤＤ６の後面に面したＨＤＤ支持部７１には開口部７１ａが設けられ、この開口部７１ａの周囲においてＨＤＤ支持部７１の後端面は後ボディ２０ｂの内表面に当接している。
【００１２】
支持部材７にはさらに、メインＬＣＤ４を支持するメイン支持部７２とサブＬＣＤ５を支持するサブ支持部７３が一体に設けられ、これら支持部７２，７３にはそれぞれメインＬＣＤ４とサブＬＣＤ５が収容されている。すなわちメインＬＣＤ４の前面に面したメイン支持部７２には開口部７２ａが設けられ、開口部７２ａの周囲においてメイン支持部７２の前端面は前ボディ２０ａの内表面に当接している。また、サブＬＣＤ５の後面に面したサブ支持部７３には開口部７３ａが設けられ、開口部７３ａの周囲においてサブ支持部７３の後端面が後ボディ２０ｂの内表面に当接している。なお、支持部材７は、ＨＤＤ６とメインＬＣＤ４とサブＬＣＤ５を左右から同時に挟み込むように左右一対設けられるが、図４，５では右方の支持部材７の図示を省略している。
【００１３】
図２（ｂ）に示すようにメイン支持部７２の上下端部は、前ボディ２０ａの内表面に突設された上下一対の突起部２０ｃの内側面に当接し、図２（ｃ）に示すようにメイン支持部７２の左右端部は、前ボディ２０ａの内表面に当接している。これにより支持部材７がボディ２０に対して位置決めされ、支持部材７によって支持されるＨＤＤ６，メインＬＣＤ４，サブＬＣＤ５も位置決めされる。
【００１４】
図２（ｂ）に示すようにＨＤＤ６とその後方の後ボディ２０ｂとの間、およびＨＤＤ６とその前方のメインＬＣＤ６（後述するメインＬＣＤ６の後面の基板３１）との間にはそれぞれ弾性材料からなる伝熱材８，９が介装されている。そして、ＨＤＤ６は伝熱材８，９を介してボディ２０の内部で押圧支持されている。すなわちＨＤＤ６の前後面にはそれぞれ伝熱材９の後面および伝熱材８の前面が密接するとともに、伝熱材８の後面は後ボディ２０ｂの内表面に密接し、伝熱材９の前面は基板３１を介してメインＬＣＤ４の後面に密接している。伝熱材８，９は、ＨＤＤ６に作用する衝撃を吸収する緩衝機能を有する。
【００１５】
図５（ａ）に示すように後側の伝熱材８は上下左右方向に略十字形に形成され、ＨＤＤ支持部７１の開口部７１ａに収容されている。一方、図２（ｂ），（ｃ）に示すように前側の伝熱材９は上下方向に細長に形成され、左右方向の中央部付近に配設されている。これら伝熱材８，９は支持部材７よりも熱伝導率の高い材質によって形成され、ＨＤＤ６からの熱が伝熱材８を介して後ボディ２０ｂに伝熱されるとともに、メインＬＣＤ４からの熱が伝熱材９，ＨＤＤ６，および伝熱材８を介して後ボディ２０ｂに伝熱される。
【００１６】
支持部材７には左右中央部側からスリット７ａが設けられ、スリット７ａを介して基板３１（ＦＰＣ）が配設されている。基板３１は表示制御部を有し、メインＬＣＤ４の後面に沿って上下方向にわたって延設されている。この基板３１は、メインＬＣＤ４とサブＬＣＤ５の上方でそれぞれ前後方向に折り曲げられ、メインＬＣＤ４の上端部に設けたバックライト４ａの近傍およびサブＬＣＤ５の上端部に設けたバックライト５ａの近傍にそれぞれ接続されている。さらに基板３１は、メインＬＣＤ４の下方にて、カメラ制御部を有する中継基板３２に接続されている。中継基板３２には基板３３が接続され、基板３３は下本体１内の基板（不図示）に接続される。
【００１７】
メインＬＣＤ４の上方にはスピーカ２５が設けられ、スピーカ２５に面した前ボディ２０ａの内表面にはスピーカ用の孔２５ａが開口されている。ＨＤＤ６の下方にはレンズユニット２６とストロボユニット２７が左右に並んで配設されている。後ボディ２０ｂの外表面にはレンズユニット２６に面して撮影用窓２６ａが設けられ、ストロボユニット２７に面して照明用窓２７ａが設けられている。レンズユニット２６はＣＣＤ等の撮像素子を内部に有する。
【００１８】
本実施の形態に係る携帯通信端末の主要な動作を説明する。
例えば携帯電話を用いて映像や音楽等を視聴するときは、ハードディスクからの情報の読み書きを行うため、ＨＤＤ６が作動して発熱する。ＨＤＤ６の表面には熱伝導率の高い伝熱材８，９が密接しているため、ＨＤＤ６からの熱は伝熱材８を介して後ボディ２０ｂに伝えられ、後ボディ２０ｂの表面から放熱される。これによりＨＤＤ６の温度上昇を抑えることができ、ＨＤＤ６からの熱によってボディ２０の内部が高温となることを防ぐことができる。
【００１９】
また、メインＬＣＤ４の後面には伝熱材９が密接しているため、メインＬＣＤ４からの熱は伝熱材９，ＨＤＤ６，伝熱材８を介して後ボディ２０ｂに伝えられ、後ボディ２０ｂの表面から放熱される。これによりＨＤＤ６だけでなく、メインＬＣＤ４の温度上昇も抑制することができる。この場合、支持部材７を熱伝導率の高い材料により形成すれば、メインＬＣＤ６からの熱がＨＤＤ支持部７１を介して後ボディ２０ｂに伝熱され、メインＬＣＤ４の放熱を促進できる。
【００２０】
以上の実施の形態によれば以下のような作用効果を奏することができる。
（１）ＨＤＤ６の両表面に熱伝導率の高い伝熱材８，９をそれぞれ密接し、この伝熱材８の後面を後ボディ２０ｂの表面に密接するとともに、伝熱材９の前面をメインＬＣＤ４の後面に密接するようにした。これによりＨＤＤ６からの熱が伝熱材８を介して後ボディ２０ｂから放熱され、ＨＤＤ６の温度上昇を抑制することができる。また、メインＬＣＤ４からの熱が伝熱材９，ＨＤＤ６，伝熱材８を介して後ボディ２０ｂから放熱され、メインＬＣＤ４の温度上昇も抑制することができる。
（２）支持部材７に、ＨＤＤを支持するＨＤＤ支持部７１とメインＬＣＤ４を支持するメイン支持部７２とサブＬＣＤ５を支持するサブ支持部７３を一体に設けたので、ＨＤＤ６とメインＬＣＤ４とサブＬＣＤ５を支持部材７を介して一体化することができ、組立性が向上する。
（３）伝熱材８，９をそれぞれ十字形状および細長形状とするので、ＨＤＤ６の表面の一部のみが押圧され、伝熱材８，９による十分な緩衝機能を発揮することができる。
（４）伝熱部材８，９に緩衝機能を持たせるので、緩衝部材を別途設ける必要がない。
【００２１】
なお、以上では、支持部材７で支持されたＨＤＤ６の前後表面に伝熱材８，９を密接し、伝熱材８の後面を後ボディ２０ｂの表面に、伝熱材９の前面をメインＬＣＤ４の後面にそれぞれ密接するようにしたが、これに限らず種々の変形例が可能である。すなわちＨＤＤ６の両表面に緩衝機能を有する伝熱材を密接し、ＨＤＤ６からの熱およびメインＬＣＤ４からの熱が伝熱材を介してボディ２０の外表面から放熱されるように、伝熱材の表面をボディ２０の内表面とメインＬＣＤ４とに密接するのであれば、緩衝部材としての伝熱材はいかなる構成であってもよい。
【００２２】
例えばＨＤＤ６の両側に伝熱材８，９を別々に設けるのではなく、図６に示すようにＨＤＤ６の周囲を囲むように伝熱材１１を一体に設け、内部の開口部１１ａにＨＤＤ６を収容するようにしてもよい。これによりＨＤＤ６が伝熱材１１により支持されるため、支持部材７を省略できる。また、図７に示すように放熱用の液体が封入された袋状の弾性部材により伝熱材８，９を構成してもよい。これにより伝熱材８，９の表面がＨＤＤ６とメインＬＣＤ４とボディ２０に密接する部分の面積を大きくすることができ、ＨＤＤ６およびメインＬＣＤ４の放熱効率を高めることができる。
【００２３】
上記実施の形態では、ＨＤＤ６およびメインＬＣＤ４からの熱をボディ２０の外表面から放熱するようにしたが、ボディ２０の内部に放熱部材を設け、この放熱部材から放熱させるようにしてもよい。その一例を図８に示す。図８では、伝熱材９とメインＬＣＤ４の間に熱伝導率の高い材料からなる放熱板１５を介装し、放熱板１５に伝熱材９とメインＬＣＤ４の表面を密接させる。そして、放熱板１５の延長上のボディ２０の左右端面に開口部２０ｄを設け、開口部２０ｄを介して放熱板１５の左右端部を外部に露出させている。
【００２４】
これによりＨＤＤ６からの熱が伝熱材８を介してボディ２０の外表面から放熱されるだけでなく、伝熱材９を介して放熱板１５の左右端部から外部へ放熱され、ＨＤＤ６から外部への放熱を促進することができる。また、メインＬＣＤ４と伝熱材９の間に放熱板１５が配置されているため、メインＬＣＤ４からの熱は放熱板１５を介して外部へ放熱される。その結果、メインＬＣＤ４からＨＤＤ６への入熱を抑えることができ、ＨＤＤ６の温度上昇を効率よく抑えることができる。この場合、図示のようにボディ２０の開口部２０ｄに面した放熱板１５の端部を貫通して、放熱板１５の内部に通気孔１５ａを設けるようにすれば、放熱板１５からの放熱効率を一層高めることができる。なお、放熱部材の形状は図８に示したものに限らず、いかなるものでもよい。
【００２５】
なお、上記実施の形態では、支持部材７を介したＨＤＤ６およびメインＬＣＤ４の下方空間に、撮像素子を内蔵するレンズユニット２６を配設するようにしたが、撮像素子の配置はこれに限らない。撮像素子は、ＨＤＤ６やメインＬＣＤ４からの熱の影響を受けにくい場所に配置することが好ましい。サブＬＣＤ５とＨＤＤ６を上下に配置したが、サブＬＣＤ５とＨＤＤ６を伝熱材を介して前後に配設し、サブＬＣＤ５からの熱を伝熱材を介して放熱するようにしてもよい。すなわち、メインＬＣＤ４ではなくサブＬＣＤ５を本発明の表示用ディスプレイとして構成することもでき、メインＬＣＤ４とサブＬＣＤ５の両方を表示用ディスプレイとして構成することもできる。
【００２６】
以上では、折り畳み式の携帯電話に適用したが、折り畳み不能の携帯電話にも同様に適用可能である。また、ＨＤＤ６を内蔵した携帯電話に本発明を適用したが、他の情報記憶用のディスク装置を内蔵した携帯電話であって、このディスク装置の発熱が問題となるようなものにも本発明を同様に適用することができる。携帯電話以外の携帯通信端末（例えば通信機能を有するＰＤＡ等）にも本発明を適用することが可能である。すなわち、本発明の特徴、機能を実現できる限り、本発明は実施の形態の携帯通信端末に限定されない。なお、以上の説明はあくまで一例であり、発明を解釈する際、上記実施形態の記載事項と特許請求の範囲の記載事項の対応関係になんら限定も拘束もされない。
【図面の簡単な説明】
【００２７】
【図１】本発明の実施の形態に係る携帯通信端末としての携帯電話の全体構成を示す斜視図。
【図２】（ａ）は図１の携帯電話の上本体の内表面の正面図、（ｂ）は図２（ａ）のｂ−ｂ線断面図、（ｃ）は図２（ａ）のｃ−ｃ線断面図。
【図３】（ａ）は図１の携帯電話の上本体の外表面の正面図、（ｂ）は図２（ａ）のｂ−ｂ線断面図、（ｃ）は図２（ａ）のｃ−ｃ線断面図。
【図４】図１の携帯電話の上本体を内表面側から見たときの内部構成を示す斜視図。
【図５】（ａ）は図１の携帯電話の上本体を外表面側から見たときの内部構成を示す斜視図、（ｂ）はその正面図。
【図６】本発明の第１の変形例を示す図。
【図７】本発明の第２の変形例を示す図。
【図８】本発明の第３の変形例を示す図。
【符号の説明】
【００２８】
４  メインＬＣＤ
５  サブＬＣＤ
６  ＨＤＤ
７  支持部材
８，９  伝熱材
１１  伝熱材
１５  放熱板
１５ａ  通気孔
２０  ボディ
２６  レンズユニット
【図１】
2007150813.tif 000003
【図２】
2007150813.tif 000004
【図３】
2007150813.tif 000005
【図４】
2007150813.tif 000006
【図５】
2007150813.tif 000007
【図６】
2007150813.tif 000008
【図７】
2007150813.tif 000009
【図８】
2007150813.tif 000010